(57)【要約】【課題】  簡単な構成で排出時のカードに制動を掛けることにより、排出時にカードが勢いよく飛び出すことを安定的に防止できるようにしたカードコネクタを提供すること。【解決手段】  スライダ４１がロックされた状態から、カードＣに押し込み力を与えてロックを解除すると、付勢部材Ｓ１の付勢力に押されてスライダ４１が排出方向（Ｙ２）に勢いよく移動する。この際、スライダ４１に形成された第１の案内凸部４６の幅広部４６ａとハウジング２０側の制動凸部２１ｂとが接触する部分に摩擦が発生して移動中のスライダ４１を減速させる。よって、スライダ４１が排出方向に勢いよく移動しなくなり、カードＣが出入口２０Ａからカードコネクタ１０の外部に勢いよく排出されることを防止することが可能となる。【選択図】図１１
2009170248.tif 000002
【特許請求の範囲】
【請求項１】
ハウジングとカバーとの間にカードが挿入される出入口を有する筐体と、前記筐体内に挿入されたカードを排出する排出機構とを備えたカードコネクタにおいて、
前記排出機構は、カードを保持しつつ移動自在に設けられたスライダと、前記スライダを排出方向に付勢する付勢部材と、前記スライダを装着完了位置にロックするロック機構とを有しており、
前記ハウジングには、前記スライダを移動方向に案内する長孔または長溝が形成され、前記スライダには前記長孔または前記長溝内に入り込んで移動する案内凸部が形成されており、
さらに前記長孔または前記長溝の一部には、これらの内部を移動する前記案内凸部に制動を与えて前記スライダの移動速度を減少させる制動部が設けられていることを特徴とするカードコネクタ。
【請求項２】
前記制動部は、前記長孔または長溝の一方の縁部から他方の縁部に向かって突出する制動凸部と、前記案内凸部に形成された幅広部とで形成される請求項１記載のカードコネクタ。
【請求項３】
前記制動凸部の近傍に開口穴が形成されており、前記制動凸部が前記開口穴に向かって弾性変形可能である請求項１または２記載のカードコネクタ。
【請求項４】
前記制動凸部が形成された前記ハウジングと、前記案内凸部が形成された前記スライダとが合成樹脂材料で形成されている請求項２または３記載のカードコネクタ。
【発明の詳細な説明】
【技術分野】
【０００１】
本発明は、装着されたカードを押し込むと自動的に排出されるカードコネクタに係わり、特にカードの飛び出しを防止したカードコネクタに関する。
【背景技術】
【０００２】
以下の特許文献１には、カードの飛び出し防止機構を備えたカード用コネクタに関する発明が記載されている。
【０００３】
特許文献１に記載のカード用コネクタでは、メモリカードが排出されるときに、イジェクト部材に設けられた制動部の突起部が、カバー部材に設けられているイジェクタ部材制動片の折曲部に突き当たることにより、メモリカードの排出時の速度が減速されるので、メモリカードの急峻な飛び出しが回避されるというものである。
【特許文献１】特開２００５−３０１９８３号公報
【発明の開示】
【発明が解決しようとする課題】
【０００４】
しかし、上記特許文献１に記載された飛び出し防止機構では、イジェクト部材に制動をかけるため、イジェクタ部材に制動用の折曲部を形成する必要があり、イジェクト部材の構成が複雑化しやすいという問題がある。
【０００５】
またカバー部材の一部をプレス加工することにより形成された金属製の硬い折曲部が、比較的柔軟な樹脂材料で形成されたイジェクト部材に設けられた制動部の摺接面や突起部を摺接する構成であるため、摺接面や突起部が磨耗により擦り減りやすいという問題がある。
【０００６】
特に、金属と樹脂材料では熱膨張係数が大きく異なることが一般的であり、環境温度に応じて折曲部と摺接面および突起部との間における摩擦係数が変動しやすく、一定の排出動作を実現し難いという問題もある。
【０００７】
本発明は上記従来の課題を解決するためのものであり、カードがばね力で排出されるカードコネクタにおいて、簡単な構成でカードにブレーキを掛けることができ、カードの飛び出しを安定的に防止できるようにしたカードコネクタを提供することを目的としている。
【課題を解決するための手段】
【０００８】
本発明は、ハウジングとカバーとの間にカードが挿入される出入口を有する筐体と、前記筐体内に挿入されたカードを排出する排出機構とを備えたカードコネクタにおいて、
前記排出機構は、カードを保持しつつ移動自在に設けられたスライダと、前記スライダを排出方向に付勢する付勢部材と、前記スライダを装着完了位置にロックするロック機構とを有しており、
前記ハウジングには、前記スライダを移動方向に案内する長孔または長溝が形成され、前記スライダには前記長孔または前記長溝内に入り込んで移動する案内凸部が形成されており、
さらに前記長孔または前記長溝の一部には、これらの内部を移動する前記案内凸部に制動を与えて前記スライダの移動速度を減少させる制動部が設けられていることを特徴とするものである。
【０００９】
具体的には、前記制動部は、前記長孔または長溝の一方の縁部から他方の縁部に向かって突出する制動凸部と、前記案内凸部に形成された幅広部とで形成される。
【００１０】
本発明のカードコネクタでは、長孔または長溝に形成された制動凸部とスライダ側の案内凸部との間に摩擦を生じさせてスライダを減速させることができるため、カードを保持したスライダが勢い良く飛び出すことを防止することができる。
【００１１】
上記において、前記制動凸部の近傍に開口穴が形成されており、前記制動凸部が前記開口穴に向かって弾性変形可能であるものが好ましい。
【００１２】
上記手段では、スライダ側の案内凸部が長孔または長溝側の制動凸部を押圧すると、制動凸部が開口穴の内部に向かって弾性変形させることができる。このような簡単な構成で、スライダに対して弾性力による制動を与えることができ、より効果的にスライダの速度を減速させることが可能となる。
【００１３】
さらには、前記制動凸部が形成された前記ハウジングと、前記案内凸部が形成された前記スライダとが合成樹脂材料で形成されているものが好ましい。
【００１４】
上記手段では、スライダ側の案内凸部と、長孔または長溝側の制動凸部とが同じ特性を有するため、この間の摩擦力が環境温度の変化によって大きく変動することがなく、スライダに対して常に安定した制動を与えることができる。このため、排出時にカードが必要以上の勢いで筐体の外部に飛び出してしまうことを確実に防止することができる。
【発明の効果】
【００１５】
本発明のカードコネクタでは、簡単な構成で、カード排出時にカードを保持したスライダを減速させることができ、カードが出入口から勢い良く飛び出すことを防止できる。
【発明を実施するための最良の形態】
【００１６】
以下、本実施形態のカードコネクタについて図面を参照しつつ説明する。
図１は本発明の実施の形態としてのカードコネクタとカードの外観を示す斜視図、図２は図１とは異なる方向から見たカードコネクタの斜視図、図３はカードコネクタの分解斜視図、図４はカードコネクタに搭載されたカード排出機構を示す斜視図、図５はカード排出機構を構成するスライダの斜視図、図６はカードコネクタの正面図、図７は初期状態におけるカード排出機構の動作を示す平面図である。図８はカードコネクタの底面図であるとともにカードコネクタの初期状態をも示している。
【００１７】
各図に示すＹ１−Ｙ２方向は、カードＣの挿入および排出方向を示し、Ｚ１−Ｚ２方向は、カードコネクタの厚さ方向を示し、Ｘ１−Ｘ２方向はカードコネクタの幅方向を示す。また、Ｘ１−Ｘ２方向、Ｙ１−Ｙ２方向及びＺ１−Ｚ２方向の各方向は夫々直交関係を成している。
【００１８】
（カードコネクタの説明）
以下に説明するカードコネクタは、いわゆるマルチメディアカードなどのメモリデバイス用のコネクタとして使用されるものである。カードＣは、プラスチックなどの合成樹脂からなるケース１を有しており、このケース１内に、フラッシュメモリなどのメモリチップや、メモリコントローラとして機能するＩＣチップなどが収納されている。
【００１９】
図１２は、カードコネクタに装着されるカードＣを示す平面図である。
図１２に示すように、ケース１は、図１２の紙面手前に向けられている表面１ａとこれに対向する裏面１ｂを有している。ケース１は、前端部１ｃと後端部１ｄおよび右側部１ｅと左側部１ｆを有しており、前端部１ｃと後端部１ｄと右側部１ｅおよび左側部１ｆは、いずれも前記表面１ａおよび裏面１ｂと垂直な端面である。そして、裏面１ｂの前方部分には、ケース１内の回路に導通する外部接続部５が複数設けられている。
【００２０】
カードＣの縦方向の長さ寸法はＬ１である、カードＣは、右側部１ｅの前方部分に欠損部６が形成されており、この欠損部６の後端部には傾斜部６ｂが形成されている。欠損部６はケース１を厚さ方向へ貫通して形成されている。その結果、カードＣは、傾斜部６ｂよりも後方での幅寸法Ｗ１よりも、欠損部６が形成されている前方部分の幅寸法Ｗ２の方が短い。
【００２１】
ケース１の前端部１ｃの左右両側には、前方コーナー曲面３，３が形成されており、後端部１ｄの左右両側部には、後方コーナー曲面４，４が形成されている。
【００２２】
カードＣの右側部１ｅには、前記傾斜部６ｂよりも後方に位置する掛止凹部８が形成されている。この掛止凹部８は、ケース１を厚さ方向に貫通して形成されている。掛止凹部８の縦方向の長さ寸法はＬ２、幅寸法はＷ３である。このような、カードＣは、例えば、「microＳＤカード」と称されているものと同じ形状である。なお、ケース１の表面１ａの後端部分には、摘み凹部１９が形成されている。
【００２３】
（カードコネクタの説明）
図１ないし図３に示すように、カードコネクタ１０は、ハウジング２０およびカバー３０からなる筐体と、カード排出機構４０および基板６０を備えて構成される。
【００２４】
ハウジング２０は、底部２１、前壁部２４、後壁部２５、右壁部２６および左壁部２７を有しておりこれらは合成樹脂により一体的に形成されている。またハウジング２０のＹ２側の前端には、前壁部２４と右壁部２６のＹ２側の端部とを連結するバー状の架橋部２３が一体形成されている（図３参照）。後壁部２５の上面２５ａ、右壁部２６の上面２６ａおよび左壁部２７の上面２７ａは互いに同一面で形成されている。
【００２５】
図２ないし図４に示すように、ハウジング２０のＹ２側にはカードＣの挿入および排出が行われる出入口２０Ａが形成されている。またハウジング２０の底部２１には略Ｕ字形状からなる切欠部２１Ａが形成され、切欠部２１Ａの近傍には長孔２１Ｂが形成されている。長孔２１Ｂは挿入および排出方向であるＹ方向を長手方向としており、Ｙ２側には細長穴２１ａが連続して形成されている。また長孔２１Ｂの中間部には、一方の縁部から他方の縁部に向かって突出する制動凸部２１ｂが形成されている。制動凸部２１ｂは長孔２１Ｂの他の部分よりも狭い幅寸法からなる狭小部２１Ｄを形成している。さらに、底部２１には、Ｙ方向を長手方向とする開口穴２１Ｃが制動凸部２１ｂに対して並設されている。
【００２６】
カバー３０は金属板をプレス加工等して形成されている。カバー３０には、右側板３１および左側板３２が設けられ、これらは天井板３４から直角に折り曲げられている。右側板３１と左側板３２は、それぞれハウジング２０の右壁部２６の外面と左壁部２７の外面に設置されている。右側板３１および左側板３２には，切欠部３１ａ，３２ａが形成されている。
【００２７】
カード排出機構４０はハウジング２０のＸ２側の位置に設けられている。図２および図３に示すように、カード排出機構４０はＹ１−Ｙ２方向の直線上を自在に移動可能なスライダ４１と、スライダ４１を排出方向であるＹ２方向に付勢するコイルスプリングからなる付勢部材Ｓ１およびロック機構５０などを有して構成される。
【００２８】
図３および図４に示すように、スライダ４１は合成樹脂で形成されている。なお、スライダ４１はハウジング２０と同じ物理的特性を有するように、同じ合成樹脂材料で形成されていることが好ましい。
【００２９】
スライダ４１のＸ１側の面には、出入口２０Ａに向く受入面４１ａ、傾斜面４１ｂおよび内側面４１ｃが一体的に形成されている。受入面４１ａと内側面４１ｃはＹＺ平面に対して平行な面である。傾斜面４１ｂは、受入面４１ａから内側に向かって内方に傾斜する面として形成されている。
【００３０】
図７に示すように、Ｘ２側に位置するスライダ４１の受入面４１ａ、傾斜面４１ｂおよび内側面４１ｃと、Ｘ１側に位置するハウジング２０の右壁部２６の内面２６ｂとの間の領域が、カード装着領域２０Ｂを形成している。
【００３１】
スライダ４１の受入面４１ａと内面２６ｂとが対向するカード装着領域２０Ｂの幅寸法は、図１２に示すカードＣの後方の幅寸法Ｗ１よりも若干広めに形成されている。また、スライダ４１の内側面４１ｃと内面２６ｂとが対向するカード装着領域２０Ｂの幅寸法は、カードＣの前方部分の幅寸法Ｗ２よりも若干広めに形成されている。そして、傾斜面４１ｂは、カードＣのＸ２側に形成された傾斜部６ｂに対向可能である。
【００３２】
図７に示すように、ロック機構５０は、いわゆるハートカムと称されるものであり、スライダ４１の上面に形成された溝カム４２と、ハウジング２０側に設けられたロックピン５１とで構成されている。
【００３３】
ロックピン５１の基端部５２及び先端部５３は直角に折り曲げられており、基端部５２は、ハウジング２０の後壁部２５の内側に設けられた保持凹部２５ｃ内に回動自在に支持されている。ロックピン５１の先端部５３は、溝カム４２内に摺動自在に挿入されている。図１および図３に示すように、カバー３０には、左手前側（Ｙ２側）にロック板ばね３７が一体に形成されている。このロック板ばね３７は、カバー３０の一部を切り欠いて形成された片持ち支持ばねである。ロックピン５１はこのロック板ばね３７によって押圧され、先端部５３が溝カム４２の溝底部に押し付けられている。
【００３４】
図７に示すように、溝カム４２は、奥側（Ｙ１側）の端部に位置するロック解除部４２ａと、このロック解除部４２ａよりも手前側（Ｙ２側）に位置するロック部４２ｂを有している。ロック解除部４２ａとロック部４２ｂとの間には、図示右側に例えば往路溝４２ｃが、左側に復路溝４２ｄが形成されている。
【００３５】
溝カム４２の内部では、ロック解除部４２ａ，往路溝４２ｃ，ロック部４２ｂ，復路溝４２ｄの各部の境界部に段差が形成されており、ロックピン５１の先端部５３は、ロック解除部４２ａ→往路溝４２ｃ→ロック部４２ｂ→復路溝４２ｄ→ロック解除部４２ａの順でのみ摺動でき、その逆の行程を辿ることができないようになっている。
【００３６】
図７に示す初期位置（カードＣを挿入していない状態）では、スライダ４１は、手前側（Ｙ２側）へ移動させられて、このときロックピン５１の先端部５３は、溝カム４２のロック解除部４２ａ内に位置している。カードＣが出入口２０ＡからＹ１方向に沿ってカード装着領域２０Ｂ内に挿入され、カードＣと共にスライダ４１がカード装着領域２０Ｂの奥側（Ｙ１側）へ移動すると、ロックピン５１の先端部５３が、溝カム４２の往路溝４２ｃ内を通過し、その後、先端部５３が溝カム４２のロック部４２ｂに至り、スライダ４１は手前側（Ｙ２側）へ戻らないようにロックされる。
【００３７】
スライダ４１がロックされた状態から、カードＣを押してスライダ４１を短い距離だけ奥側（Ｙ１側）へ移動させると、ロックピン５１の先端部５３が、溝カム４２のロック部４２ｂから抜け出て、スライダ４１のロックが解除される。
【００３８】
そして、スライダ４１は付勢部材Ｓ１の力で、初期位置に復帰するため、カードＣがスライダ４１とともに手前側（Ｙ２方向）に移動され、カードコネクタ１０の出入口２０Ａを通じて排出させられる。この間、ロックピン５１の先端部５３が、復路溝４２ｄを移動してロック解除部４２ａに戻る。
【００３９】
ロック解除状態では、カードＣのＹ２方向の後端部分が、カードコネクタから突出する。よって、摘み凹部１９を摘んでカードＣを引き出すことにより、カードコネクタ１０から取り出すことが可能となる。
【００４０】
このように、溝カム４２およびロックピン５１からなるロック機構５０、スライダ４１、付勢部材Ｓ１などは、カードＣをＹ２方向に自動的に排出させるカード排出機構４０を構成している。
【００４１】
図４、図５および図７に示すように、スライダ４１の奥側（Ｙ１側）には、スライダ４１の内側面４１ｃよりもカード装着領域２０Ｂの内方向（図示Ｘ１方向）に突出する基準ストッパ部４７が一体に形成されている。また図３および図７などに示すように、スライダ４１の手前側（Ｙ２側）には嵌合部４４が形成されており、この嵌合部４４内には金属製の保持板ばね（保持部材）４５が固定されている。保持板ばね４５の先端は略Ｖ字状に折り曲げられた保持部４５ａが形成されている。保持部４５ａは、受入面４１ａよりもカード装着領域２０Ｂの内方向（図示Ｘ１方向）に突出しており、Ｘ１およびＸ２方向に弾性変形することが可能である。
【００４２】
図５に示すように、スライダ４１の裏面（Ｚ２側の面）には、スライダ４１の底面４１ＡよりもＺ２方向に突出し、且つＹ方向に延びる第１の案内凸部４６が形成され、さらに第１の案内凸部４６の奥側（Ｙ１側）には、図示Ｘ２方向に突出する幅広部４６ａが一体形成されている。また保持板ばね４５にはＺ２方向に突出する第２の案内凸部４５ｂが一体的に形成されている。
【００４３】
図２に示すように第１の案内凸部４６は長孔２１Ｂに挿入され、この長孔２１Ｂ内をＹ方向に移動する。同じく第２の案内凸部４５ｂは長孔２１Ｂに連続して形成された細長穴２１ａまたは長孔２１Ｂ内に挿入されており、この細長穴２１ａまたは長孔２１Ｂ内をＹ方向に移動する。すなわち、第１の案内凸部４６、長孔２１Ｂ、第２の凸部４５ｂおよび細長穴２１ａは、スライダ４１がＹ１方向およびＹ２方向に直線的に移動するためのガイド機構として機能する。
【００４４】
図８に示すように、スライダ４１に形成された第１の案内凸部４６のＸ方向の幅寸法Ｗａは、長孔２１Ｂ自体の幅寸法ｄ１および狭小部２１Ｄの幅寸法ｄ２よりも狭い寸法で形成されている。
【００４５】
一方、第１の案内凸部４６の幅広部４６ａのＸ方向の幅寸法Ｗｂは、長孔２１Ｂ自体の幅寸法ｄ１よりも狭いが、狭小部２１Ｄの幅寸法ｄ２よりも少しばかり広い幅寸法で形成されている（ｄ１＞Ｗｂ＞ｄ２）。
【００４６】
図３に示すように、基板６０はカード排出機構４０の上部（Ｚ１側）の位置、より詳しくは同一面で形成された後壁部２５の上面２５ａ、右壁部２６の上面２６ａおよび左壁部２７の上面２７ａの上に支持されている。この状態では、基板６０の上面と架橋部２３の上面とは同一平面に設定されている。そして、基板６０および架橋部２３の上面に、カバー３０の天井面３４が載置されることにより、筐体全体が覆われている。
【００４７】
基板６０は、絶縁性の合成樹脂材料により形成されており、基板６０の内部には複数の接続端子６５が埋設されている。接続端子６５は、図１に示すカードＣの裏面１ｂに露出している外部接続部５と同じ数で且つ同じピッチで配列されている。図３に示すように、個々の接続端子６５の基端側は基板６０にモールドされた片持ち状態で固定され、Ｙ１方向の一方の先端６５ａは基板６０に形成された開口部６２に突出しており、上下（Ｚ）方向に弾性変形自在な自由端を形成している。また各接続端子６５は基板６０内で折り曲げられ互いに接触することのない状態で配線されている。接続端子６５の他方の先端側６５ｂは、基板６０の側面６３，６３からＸ１およびＸ２方向の側方にそれぞれ引き出されている。側面６３，６３に設けられた他方の先端側６５ｂは、カバー３０の右側板３１および左側板３２に形成された切欠部３１ａ，３２ａを介して筐体の外部に露出されている。なお、他方の先端側６５ｂは、カードコネクタの外部に設けられたＣＰＵを主体とする制御部に接続されている。また各接続端子６５の表面は、金などの低抵抗の貴金属材料がメッキされた導電性の金属板で形成されている。
【００４８】
図６に示すように、基板６０がハウジング２０とカバー３０との間に取り付けられると、接続端子６５の一方の先端６５ａとハウジング２０の底部２１とが所定の隙間を空けて対向配置される。この対向領域は、カード装着領域２０Ｂを形成している。
【００４９】
以下カードコネクタの動作について説明する。
図９ないし図１１は本発明のカードコネクタの動作状態を裏面側から示す底面図であり、図９はスライダがロック機構にロックされた状態を示すカードコネクタの底面図、図１０はロック解除後のオーバーストローク状態を示すカードコネクタの底面図、図１１はカードが排出される途中の状態を示すカードコネクタの底面図である。
【００５０】
図８に示す初期状態において、正常な姿勢カードＣを出入口２０Ａからカード装着領域２０Ｂに挿入すると、カードＣの一方（Ｘ１側）の左側部１ｆはハウジング２０の右壁部２６の内面２６ｂを案内基準面として奥部方向に挿入される。
【００５１】
すなわち、カードＣが多少Ｘ２方向に寄った状態で出入口２０Ａに挿入されたとしても、カードＣの他方（Ｘ２側）の前方コーナー曲面３が、スライダ４１の傾斜面４１ｂに当接する。このため、さらにカードＣを奥部方向に押し込むと、カードＣはスライダ４１の傾斜面４１ｂの傾斜方向に沿ってＸ１方向に移動させられ、カードＣの左側部１ｆが基準面である右壁部２６の内面２６ｂに押し当てられる。そして、これ以降、カードＣを案内基準面である内面２６ｂに沿って奥部方向に挿入させることができる。
【００５２】
図７に示すように、カードＣを出入口２０Ａから筐体内のカード装着領域２０Ｂに挿入すると、スライダ４１に設けられた保持部４５ａがカードＣの左側面に設けられた傾斜面４１ｂを乗り越えて掛止凹部８を係止するため、カードＣがスライダ４１に保持される。
【００５３】
そして、カードＣとスライダ４１とは一体化した状態で移動し、上記のように、ロック機構５０を構成するロックピン５１の先端部５３が、溝カム４２内をロック解除部４２ａが往路溝４２ｃを通ってロック部４２ｂに至ることにより、スライダ４１がロック状態に設定され、カードＣがカード装着領域２０Ｂ内に装着される。
【００５４】
このとき、図９に示すように、第１の案内凸部４６の幅広部４６ａは、図８に示す初期状態から長孔２１Ｂ内を移動し、狭小部２１ＤよりもＹ１側の装着完了位置（ロック位置）に至る。
【００５５】
この装着完了位置では、カード装着領域２０Ｂに設けられている複数の接続端子６５の先端６５ａが、カードＣの裏面１ｂに設けられている複数の外部接続部５を弾圧し、個々の接続端子６５と個々の外部接続部５との間が導通接続される。
【００５６】
よって、図示しない制御部から筐体の外部に露出されている他方の先端側６５ｂおよび一方の先端側６５ａを介して外部接続部５に信号を与えてカードＣにアクセスすることにより、カードＣ内のフラッシュメモリにデータを記録させ、または記録されているデータを読み出すことができる。
【００５７】
スライダ４１がロックされた状態から、さらにカードＣに対する押し込み力を与えて付勢部材Ｓ１の付勢力に抗しながら、すなわちコイルスプリングを圧縮させながら、カードＣを押してスライダ４１を短い距離だけ奥側（Ｙ１側）へ移動させると、ロックピン５１の先端部５３が、溝カム４２のロック部４２ｂから抜け出て、復路溝４２ｄのＹ２側の端部に至り、スライダ４１のロックが解除される。
【００５８】
このとき、図１０に示すように、第１の案内凸部４６の幅広部４６ａは、図９に示すロック位置から移動し、長孔２１Ｂ内のＹ２方向の端部であるロック解除位置に至る。
【００５９】
次に、カードＣに対する押し込み力を解除すると、付勢部材Ｓ１の付勢力に押されてスライダ４１がＹ２方向に勢いよく手前側（Ｙ２側）に移動させられる。このとき、ロックピン５１の先端部５３が、溝カム４２のロック部４２ｂから抜け出て、復路溝４２ｄ内を相対的にＹ１方向に移動し、図７に示す初期状態であるロック解除位置（イジェクト位置）に達する。
【００６０】
図１１に示すように、この移動の途中では、第１の案内凸部４６の幅広部４６ａが、狭小部２１Ｄを通過するが、第１の案内凸部４６の幅広部４６ａの幅寸法Ｗｂは、制動凸部２１ｂの幅寸法ｄ２よりもわずかに広いため、狭小部２１Ｄのうち第１の案内凸部４６の幅広部４６ａと制動凸部２１ｂとが接触する部分に摩擦力が発生する。このため、移動中のスライダ４１の移動速度を減少させることが可能である。
【００６１】
しかも、図１１に示すように、制動凸部２１ｂが第１の案内凸部４６の幅広部４６ａを通過するときには、幅広部４６ａによって押された制動凸部２１ｂが、側方（Ｘ２方向）に凹状に適度に撓み変形させられて開口穴２１Ｃの幅が狭まる。これにより、幅広部４６ａのＹ方向への通過を許容することができるとともに、制動凸部２１ｂの弾性力が幅広部４６ａに対して適度な制動をかけるため、より効果的にスライダ４１を減速させることが可能である。さらには制動凸部２１ｂが弾性変形することから、制動凸部２１ｂと第１の案内凸部４６との間の磨耗による擦り減りを大幅に低減することが可能である。
【００６２】
このように、ハウジング２０側の長孔２１Ｂに形成された制動凸部２１ｂとスライダ４１側の第１の案内凸部４６の幅広部４６ａとからなる狭小部２１Ｄは、スライダ４１の移動速度を減少させる制動部として機能している。
【００６３】
このため、排出時にカードＣおよびスライダ４１が勢いよく移動することなくなる。よって、カードＣが出入口２０Ａからカードコネクタ１０の外部に勢いよく排出されることを防止することができる。
【００６４】
また狭小部２１Ｄを形成する制動凸部２１ｂを備えたハウジング２０と第１の案内凸部４６を有するスライダ４１が同じ合成樹脂材料で形成されている場合には、熱膨張係数などの物理特性が共通する。よって、環境温度が変動しても、同じように変形することが可能であるため、より安定した排出動作を実現することが可能である。
【００６５】
上記実施の形態では、スライダ４１側に形成された第１の案内凸部４６が、ハウジング２０の底部２１に形成された長孔２１Ｂ内を移動する場合について説明したが、本発明はこれに限られるものではなく、第１の案内凸部４６が底部２１に形成された長溝の内部を移動する構成であってもよい。この場合、制動凸部２１ｂの変形しやすさを考慮すれば、制動凸部２１ｂは長溝の側面に一体的に形成されてはいるものの、長溝の底面からは分離している構成が好ましい。
【００６６】
また上記実施の形態では、第１の案内凸部４６が狭小部２１Ｄを通過するときに、ハウジング２０側の制動凸部２１ｂ側が変形する場合について説明したが、本発明はこれに限られるものではなく、スライダ４１側の幅広部４６ａが変形する構成であってもよい。この場合、例えば幅広部４６ａの内側に孔または溝を形成し、幅広部４６ａをリブ状に形成することにより実現することができる。
【００６７】
さらには上記実施の形態では、スライダ４１側に対して側方（Ｘ方向）から制動を与える場合について説明したが、その他板厚（Ｚ）方向から制動を与える構成であってもよい。
【図面の簡単な説明】
【００６８】
【図１】本発明の実施の形態としてのカードコネクタとカードの外観を示す斜視図。
【図２】図１とは異なる裏面側から見たカードコネクタの斜視図。
【図３】カードコネクタの分解斜視図。
【図４】カードコネクタに搭載されたカード排出機構を示す斜視図。
【図５】カード排出機構を構成するスライダの斜視図。
【図６】カードコネクタの正面図。
【図７】カード排出機構の初期状態の動作を示す平面図。
【図８】初期状態におけるカードコネクタを示す底面図。
【図９】スライダがロック機構にロックされた状態を示すカードコネクタの底面図。
【図１０】ロック解除後のオーバーストローク状態を示すカードコネクタの底面図。
【図１１】カードが排出される途中の状態を示すカードコネクタの底面図。
【図１２】カードの平面図。
【符号の説明】
【００６９】
Ｃ  カード
１  カードのケース
１ａ  表面
１ｂ  裏面
１ｃ  前端部
１ｄ  後端部
１ｅ  右側部
１ｆ  左側部
１  外部接続部
１  欠損部
１ｂ  傾斜部
８  掛止凹部
１０  カードコネクタ
２０  ハウジング
２０Ａ  出入口
２０Ｂ  カード装着領域
２１  底部
２１Ｂ  長孔
２１Ｃ  開口穴
２１ｂ  制動凸部
２６ｂ  内面（案内基準面）
３０  カバー
３７  ロック板ばね
４０  カード排出機構
４１  スライダ
４２  溝カム
４５  保持板ばね（保持部材）
４５ａ  保持部
４６ａ  幅広部
４７  基準ストッパ部
５０  ロック機構
５１  ロックピン
６０  基板
６５  接続端子
Ｃ  カード
【図１】
2009170248.tif 000003
【図２】
2009170248.tif 000004
【図３】
2009170248.tif 000005
【図４】
2009170248.tif 000006
【図５】
2009170248.tif 000007
【図６】
2009170248.tif 000008
【図７】
2009170248.tif 000009
【図８】
2009170248.tif 000010
【図９】
2009170248.tif 000011
【図１０】
2009170248.tif 000012
【図１１】
2009170248.tif 000013
【図１２】
2009170248.tif 000014